(57)【要約】【課題】  この発明は、複数仕様のインバータ回路基板の搭載が可能となるとともに、仕様の異なるインバータ回路基板を搭載しても、キャリッジの重心移動、ミラー、レンズ、ＣＣＤの汚れ等が発生しなくなる画像読取装置を提供することを目的とする。【解決手段】  露光ランプとその露光ランプに駆動電力を供給するインバータ回路基板とを備えた画像読取装置において、インバータ回路基板が画像読取装置の筐体の外側の面に取り付けられている。インバータ回路基板が画像読取装置の筐体の露光ランプ移動方向の略中央部に配置されていることが好ましい。インバータ回路基板が画像読取装置の筐体の後壁の外面に取り付けられていることが好ましい。【選択図】  図１
2006287568.tif 000002
【特許請求の範囲】
【請求項１】
露光ランプとその露光ランプに駆動電力を供給するインバータ回路基板とを備えた画像読取装置において、インバータ回路基板が画像読取装置の筐体の外側の面に取り付けられていることを特徴とする画像読取装置。
【請求項２】
インバータ回路基板が画像読取装置の筐体の露光ランプ移動方向の略中央部に配置されていることを特徴とする請求項１に記載の画像読取装置。
【請求項３】
インバータ回路基板が画像読取装置の筐体の後壁の外面に取り付けられていることを特徴とする請求項１に記載の画像読取装置。
【発明の詳細な説明】
【技術分野】
【０００１】
この発明は、露光ランプとその露光ランプに駆動電力を供給するインバータ回路基板とを備えた画像読取装置に関する。
【背景技術】
【０００２】
露光ランプとその露光ランプに駆動電力を供給するインバータ回路基板とを備えた画像読取装置が知られている。この種の画像読取装置においては、特開２００２−２９６７０３号公報に開示されているように、インバータ回路基板は露光ランプおよびミラーが搭載されているキャリッジに取り付けられているか、特開２００３−２９５３５２号公報に開示されているように、インバータ回路基板は画像読取装置の筐体内部に取り付けられている。
【０００３】
前者は露光ランプとインバータ回路基板との距離が短くなるという利点がある。また、後者は、インバータ回路基板を冷却しやすいという利点がある。
【０００４】
しかしながら、画像読取装置の筐体（ユニット）自体を複数機種にわたって共通に使用しようとした場合、機種に応じて若干の露光ランプの仕様を変更（例えば、処理枚数増加による光量増加）することにより、インバータ回路基板の仕様も変更することがある。インバータ回路基板の仕様変更により、例えば、基板に実装される部品の高さが変化すると、従来例では限られたスペース内にインバータ回路基板を収めきれなくなることがあり、ユニットの共通化が困難となる。
【０００５】
また、インバータ回路基板は露光ランプおよびミラーが搭載されているキャリッジに取り付けられている場合、インバータ回路基板のトランスの重量が変わると、キャリッジの重心が移動してしまい、文字ずれ、色ずれ等の不具合を引き起こす懸念がある。
【０００６】
また、インバータ回路基板が画像読取装置の筐体内部に取り付けられている場合、露光ランプが高照度対応されると、さらなる冷却が必要となり、筐体外部からの空気を筐体内部に取り込むことになり、ミラー、レンズ、ＣＣＤに汚れが発生しやすくなる。
【特許文献１】特開２００２−２９６７０３号公報
【特許文献２】特開２００３−２９５３５２号公報
【発明の開示】
【発明が解決しようとする課題】
【０００７】
この発明は、複数仕様のインバータ回路基板の搭載が可能となるとともに、仕様の異なるインバータ回路基板を搭載しても、キャリッジの重心移動、ミラー、レンズ、ＣＣＤの汚れ等が発生しなくなる画像読取装置を提供することを目的とする。
【課題を解決するための手段】
【０００８】
請求項１に記載の発明は、露光ランプとその露光ランプに駆動電力を供給するインバータ回路基板とを備えた画像読取装置において、インバータ回路基板が画像読取装置の筐体の外側の面に取り付けられていることを特徴とする。
【０００９】
請求項２に記載の発明は、請求項１に記載の発明において、インバータ回路基板が画像読取装置の筐体の露光ランプ移動方向の略中央部に配置されていることを特徴とする。
【００１０】
請求項３に記載の発明は、請求項１に記載の発明において、インバータ回路基板が画像読取装置の筐体の後壁の外面に取り付けられていることを特徴とする。
【発明の効果】
【００１１】
この発明によれば、複数仕様のインバータ回路基板の搭載が可能となるとともに、仕様の異なるインバータ回路基板を搭載しても、キャリッジの重心移動、ミラー、レンズ、ＣＣＤの汚れ等が発生しなくなる。
【発明を実施するための最良の形態】
【００１２】
以下、図面を参照して、この発明を複写機に設けられた画像読取装置に適用した場合の実施例について説明する。
【実施例１】
【００１３】
図１は、画像読取装置の筐体に取り付けられたインバータ回路基板を示している。
【００１４】
画像読取装置の筐体１０は、矩形枠状であり、複写機の正面側の前枠部材１１と、複写機の奥側の後枠部材１２と、左枠部材１３と、右枠部材１４とから構成されている。
【００１５】
筐体１０内には、よく知られているように、原稿を照射する露光ランプ２１（図２、図３参照）等を含む露光機構が配置されている。
【００１６】
筐体１０の後枠部材１２の後面の左右方向の略中央部には、露光ランプ２１に駆動電力を供給するインバータ回路基板１００が取り付けられている。つまり、筐体１０の後壁の外面にインバータ回路基板１００が取り付けられている。なお、図２および図３に示すように、筐体１０の上側に原稿が載置されるコントクトガラス１が配置される。
【００１７】
図２および図３は、画像読取装置の筐体１０内に設けられた露光機構を示している。図２は、スキャン開始時の状態を、図３はスキャン終了時の状態を示している。なお、図２及び図３は、筐体１０内部を後方から見た図を示している。
【００１８】
露光機構は、コンタクトガラス１上に載置された原稿の画像をスキャン（走査）するため露光ランプ２１および原稿からの反射光を反射する第１ミラー２２を備えたランプキャリッジ３１、第１ミラー２２によって反射された光を集光レンズ２５に導くための第２および第３ミラー２３、２４を備えたミラーキャリッジ３２、集光レンズ２５によって得られた光情報を電気信号に変換するためのＣＣＤ２６を備えている。
【００１９】
ランプキャリッジ３１およびミラーキャリッジ３２は、図示しないスキャンモータによって、左右方向に往復動される。ミラーキャリッジ３２は、ランプキャリッジ３１の速度の１／２の速度で、ランプキャリッジ３１の移動距離の１／２の距離を移動する。
【００２０】
なお、４０は、露光ランプ２１とインバータ回路基板１００とを電気的に接続するためのランプケーブルである。
【００２１】
上記実施例では、画像読取装置の筐体１０の後壁の外面にインバータ回路基板１００が取り付けられているので、筐体１０の外側の広いスペースを利用して複数の仕様のインバータ回路基板を搭載できるようにしている。また、仮にインバータ回路基板１００への冷却が必要になった場合においても、画像読取装置の筐体１０の外側において冷却用の空気流路を形成することができるので、筐体１０の内側にある光学部材（ランプ、ミラー、ＣＣＤ）の粉塵汚染の度合いを低減させることができる。
【００２２】
また、上記実施例では、筐体１０の後枠部材１２の後面の左右方向の略中央部、つまり、筐体１０のキャリッジ移動方向の略中央部に、インバータ回路基板１００を配置しているため、露光ランプ２１とインバータ回路基板１００とを電気的に接続するためのランプケーブル４０の長さを極力短くすることができる。
【００２３】
さらに、筐体１０の後枠部材１２の後面にインバータ回路基板１００を配置しているため、筐体１０の後側からビスを締めつけることによってインバータ回路基板１００を取り付けることができる。複写機本体には、画像読取装置の筐体１０の後側に、取り外し自在に後カバーが設けられているので、後カバーを外すだけで、インバータ回路基板１００の交換作業ができるようになる。
【図面の簡単な説明】
【００２４】
【図１】画像読取装置の筐体に取り付けられたインバータ回路基板を示す概略的な斜視図である。
【図２】画像読取装置の筐体１０内に設けられた露光機構のスキャン開始時の状態を示す概略構成図である。
【図３】画像読取装置の筐体１０内に設けられた露光機構のスキャン終了時の状態を示す概略構成図である。
【符号の説明】
【００２５】
１０  画像読取装置の筐体
１２  後枠部材
２１  露光ランプ
４０  ランプケーブル
１００  インバータ回路基板
【図１】
2006287568.tif 000003
【図２】
2006287568.tif 000004
【図３】
2006287568.tif 000005